(57)【特許請求の範囲】
【請求項１】
基板と側板とから成るＬ字状の継鉄と、該継鉄に固着された励磁機能を有する部材を内蔵するオイルダッシュポットと、該オイルダッシュポットの外周に捲回した電磁コイルと、前記継鉄の側板の上端部近傍に吸引側が前記オイルダッシュポットの上端の固定鉄片に接触する水平姿勢と固定鉄片から離反した傾斜姿勢との間を起倒可能に枢着し、引き外し側がトリップバーを動作させる可動鉄片とから成る複数の電磁装置を備えた回路遮断器において、前記電磁コイルの巻き方向が同じに形成された複数の電磁装置のうち１つの電磁装置の電磁コイルに流れる電流の向きを他の電磁装置の電磁コイルに流れる電流の向きと逆方向にしたことを特徴とする回路遮断器。
【請求項２】
前記電磁装置の電磁コイルは、両先端を略同一高さに形成し、接続対象物に応じて前記電磁コイルの一方の先端を切除することを特徴とする請求項１に記載の回路遮断器。
【発明の詳細な説明】
【０００１】
【発明の属する技術分野】
本発明は、主回路を遮断するための電磁装置を具備する回路遮断器に関する。
【０００２】
【従来の技術】
従来、図６及び図７に示すように回路遮断器２１の内部に設けられる電磁装置２２は、基板２３ａと側板２３ｂとから成るＬ字状の継鉄２３の基板２３ａに励磁機能を有する部材を内蔵するオイルダッシュポット２４が貫通してハンダ付け等により固着され、オイルダッシュポット２４の外周には電磁コイル２５が捲回されている。電磁コイル２５の一方端２５ａは一次側端子２６に接続された可撓導線２７が接続され、他方端２５ｂは二次側端子２８に接続された端子板２９が接続されている。継鉄２３の側板２３ｂの上端近傍には、吸引側３０ａがオイルダッシュポット２４の固定鉄片２４ａに接触する水平姿勢と固定鉄片２４ａから離反した傾斜姿勢との間を起倒可能な可動鉄片３０が枢着され主回路に過電流が発生していない状態では可動鉄片３０の吸引側３０ａは継鉄２３の側板２３ｂに一端が取り付けられたバネ３１により傾斜姿勢を保っている。主回路に過電流が発生すると、電磁コイル２５に電流が流れて磁界が発生し、オイルダッシュポット２４の上端の固定鉄片２４ａが可動鉄片３０の吸引側３０ａを水平姿勢側に吸引する。このとき、可動鉄片３０の吸引側３０ａが固定鉄片２４ａに吸引されると可動鉄片３０の引き外し側３０ｂがトリップバー３２を動作させて主回路を遮断する。回路遮断器２１に漏電検出のための零相変流器３３が組み込まれている場合、電磁コイル２５によって発生する磁界により零相変流器３３に悪影響を及ぼしていた。
【０００３】
【発明が解決しようとする課題】
そこで従来の回路遮断器は、複数の電磁装置のうち１つの電磁装置の電磁コイルを他の電磁装置の電磁コイルと逆巻きにし、磁界の発生する方向を逆方向して互いに磁界を打ち消すようにして磁界による影響を小さくしていた。そのため、右巻きと左巻きの２種類の電磁コイルを用意しなければならないため、コストが高くなり、在庫管理も煩雑になっていた。
【０００４】
【課題を解決するための手段】
上記従来の回路遮断器の問題点に鑑み、本発明の目的は、１種類の電磁コイルで電磁装置から発生する磁界の影響を小さくすることができる回路遮断器を提供するもので、その構造は、基板と側板とから成るＬ字状の継鉄と、継鉄に固着された励磁機能を有する部材を内蔵するオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側がトリップバーを動作させる可動鉄片とから成る複数の電磁装置を備えた回路遮断器において、電磁コイルの巻き方向が同じに形成された複数の電磁装置のうち１つの電磁装置の電磁コイルに流れる電流の向きを他の電磁装置の電磁コイルに流れる電流の向きと逆方向にしたことである。
【０００５】
また、電磁装置の電磁コイルは、両先端を略同一高さに形成し、接続対象物に応じて電磁コイルの一方の先端を切除することである。
【０００６】
【発明の実施の形態】
請求項１に記載の回路遮断器の電磁装置によれば、基板と側板とから成るＬ字状の継鉄と、継鉄に固着された励磁機能を有する部材を内蔵するオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側がトリップバーを動作させる可動鉄片とから成る複数の電磁装置を備えた回路遮断器において、電磁コイルの巻き方向が同じに形成された複数の電磁装置のうち１つの電磁装置の電磁コイルに流れる電流の向きを他の電磁装置の電磁コイルに流れる電流の向きと逆方向にしたことにより、電磁装置から発生する磁界の影響を小さくすることができる。
【０００７】
請求項２に記載の回路遮断器によれば、電磁装置の電磁コイルは、両先端を略同一高さに形成し、接続対象物に応じて電磁コイルの一方の先端を切除することにより、１種類の電磁コイルで流れる電流の向きを変更することができ、また、電磁コイルを主回路の導体に接続しやすくなる。
【０００８】
【実施例】
本発明に係る回路遮断器の一実施例を図１〜図４の添付図面に基づいて説明する。
【０００９】
図１及び図２に示すように回路遮断器１に設けられる電磁装置２は、基板３ａと側板３ｂとから成るＬ字状の継鉄３の基板３ａに励磁機能を有する部材を内蔵するオイルダッシュポット４が貫通してハンダ付け等により固着されている。
【００１０】
オイルダッシュポット４内には図示を省略するが磁性体のプランジャーと、そのプランジャーをオイルダッシュポット４の底方向へ付勢するコイルスプリングと、一定粘度のオイルが上部開口部より収容され、開口部は固定鉄片４ａによって施蓋されている。このオイルダッシュポット４の外周には電磁コイル５が捲回されている。
【００１１】
電磁コイル５の先端は、一次側端子６に接続された可撓導線７又は二次側端子８に接続された端子板９が接続される。ここで例えばＬ１とＬ２の２極の回路遮断器１において電磁装置２をＬ１極，Ｌ２極の夫々に設ける場合、Ｌ１極の電磁装置２ａとＬ２極の電磁装置２ｂは互いに電流の流れる方向を逆方向にしている。即ち、図２に示すようにＬ１極の電磁装置２ａの電磁コイル５は、一方端５ａに可撓導線７を、他方端５ｂに端子板９を接続し、図３に示すようにＬ２極の電磁装置２ｂの電磁コイル５は、一方端５ａに端子板９を、他方端５ｂに可撓導線７を接続している。
【００１２】
このため、図４に示すように電磁コイル５の一方端５ａと他方端５ｂは、配置が決められた端子板９にどちらでも接続できるように略同一高さに形成されている。そして図２及び図３に示すように電磁コイル５に可撓導線７と端子板９を接続する際、電磁コイル５の先端のどちらか一方、例えば端子板９が接続される側の電磁コイル５の先端を切除して他方よりも短くする。これにより、電磁コイル５に可撓導線７と端子板９をスポット溶接等により接続する場合、接続作業がしやすくなる。
【００１３】
電流の流れる方向を逆方向にすることにより、Ｌ１極の電磁装置２ａとＬ２極の電磁装置２ｂの磁界の発生する方向が逆になり、磁界が互いに打ち消し合うので漏電を検出するために設けられた零相変流器１０等に及ぼす影響を小さくすることができる。
【００１４】
尚、Ｒ，Ｓ，Ｔの３極の回路遮断器において電磁装置をＲ極，Ｓ極，Ｔ極の夫々に設ける場合は、Ｒ，Ｓ極の電磁装置に流れる電流の方向とＴ極の電磁装置に流れる電流の方向とが逆方向になるように接続する。
【００１５】
継鉄３側板の上端近傍には、吸引側１１ａがオイルダッシュポット４の上端の固定鉄片４ａに接触する水平姿勢と固定鉄片４ａから離反した傾斜姿勢との間を起倒可能な可動鉄片１１が枢着される。
【００１６】
主回路に過電流が発生していない状態では可動鉄片１１の吸引側１１ａは継鉄３の側板３ｂに一端が取り付けられたバネ１２により傾斜姿勢を保っている。主回路に過電流が発生すると、電磁コイル５に電流が流れ、オイルダッシュポット４の上端の固定鉄片４ａが可動鉄片１１の吸引側１１ａを水平姿勢側に吸引する。このとき、可動鉄片１１の吸引側１１ａが固定鉄片４ａに吸引されると可動鉄片１１の引き外し側１１ｂがトリップバー１３を動作させて主回路を遮断する。
【００１７】
尚、本実施例において電磁コイル５は左巻きであるが、巻き方向は右巻きでも左巻きでもどちらでも良い。
【００１８】
また、本実施例において電磁コイルの先端を上向きに折曲して同一高さに形成したが、図５に示すように電磁コイルの先端を下向きにして電磁装置に設けても何ら問題なく、電磁装置の形状について適宜変更可能である。
【００１９】
また、電磁コイルの先端は可撓導線と端子板を接続したが、主回路を構成する導体の形状について限定はない。
【００２０】
【発明の効果】
以上のように本発明に係る回路遮断器は、基板と側板とから成るＬ字状の継鉄と、継鉄に固着された励磁機能を有する部材を内蔵するオイルダッシュポットと、オイルダッシュポットの外周に捲回した電磁コイルと、継鉄の側板の上端部近傍に吸引側がオイルダッシュポットの上端の固定鉄片に接触する水平姿勢と固定鉄片から離反した傾斜姿勢との間を起倒可能に枢着し、引き外し側がトリップバーを動作させる可動鉄片とから成る複数の電磁装置を備えた回路遮断器において、電磁コイルの巻き方向が同じに形成された複数の電磁装置のうち１つの電磁装置の電磁コイルに流れる電流の向きを他の電磁装置の電磁コイルに流れる電流の向きと逆方向にしたことにより、電磁装置から発生する磁界の影響を小さくすることができるという優れた効果がある。
【００２１】
また、電磁装置の電磁コイルは、両先端を略同一高さに形成し、接続対象物に応じて電磁コイルの一方の先端を切除することにより、１種類の電磁コイルで流れる電流の向きを変更することができ、また、電磁コイルを主回路の導体に接続しやすくなるという優れた効果がある。
【図面の簡単な説明】
【図１】  本発明に係る回路遮断器を示す正面図である。
【図２】  本発明に係る電磁装置を示し、（ａ）は正面図であり、（ｂ）は要部右側面図である。
【図３】  本発明に係る電磁装置を示し、（ａ）は正面図であり、（ｂ）は要部右側面図である。
【図４】  本発明に係る電磁装置の電磁コイルを示し、（ａ）は正面図であり、（ｂ）は右側面図である。
【図５】  本発明に係る電磁装置の変形実施例を示し、（ａ）は正面図であり、（ｂ）は要部右側面図である。
【図６】  従来の回路遮断器を示す正面図である。
【図７】  従来の電磁装置を示す正面図である。
【符号の説明】
１      回路遮断器
２      電磁装置
２ａ    Ｌ１極の電磁装置
２ｂ    Ｌ２極の電磁装置
３      継鉄
４      オイルダッシュポット
５      電磁コイル
５ａ    一方端
５ｂ    他方端
６      一次側端子
７      可撓導線
８      二次側端子
９      端子板
１０    零相変流器
１１    可動鉄片
【図１】
0004623535.tif 000002
【図２】
0004623535.tif 000003
【図３】
0004623535.tif 000004
【図４】
0004623535.tif 000005
【図５】
0004623535.tif 000006
【図６】
0004623535.tif 000007
【図７】
0004623535.tif 000008